(57)【特許請求の範囲】
【請求項１】
基板上に配されている少なくとも１つの発光体と、
前記基板上に配され、前記少なくとも１つの発光体を少なくとも部分的に横に囲んでいる反射性光学ハウジングと、
前記基板と前記反射性光学ハウジングとの間に形成されている少なくとも１つのチャネルであり、前記反射性光学ハウジングと前記少なくとも１つの発光体との間に形成された空間を前記反射性光学ハウジングの外部と接続するチャネルと
を有し、
前記空間は、反射性材料で少なくとも部分的に充填されており、
前記チャネルは、毛管力によって前記反射性材料の懸濁液を前記空間に送り届ける形状及び寸法にされている、
発光装置。
【発明の詳細な説明】
【技術分野】
【０００１】
本発明は、発光装置の分野に関し、より詳細には、前記発光装置の光出力の改善に関する。
【背景技術】
【０００２】
発光装置は、本発明の上述の分野によれば、従来通り知られている。これらは、ビーム性能が必要とされる光源として使用され、光をコリメートすることによって得ることができる。これは、自動車のヘッドライト／テールライト、発光ダイオード（ＬＥＤ）ミニビーマー、スポットライト及び色調整可能なＬＥＤ源のような、装置におけるものであり、個々のダイからの放出の混合が、用途に対して必要である。この種の発光装置は、米国特許出願公開第２００８／００９４８３５号に記載されており、光エンジンは、少なくとも１つの開口を備えるチャンバと、このチャンバ内部に位置決めされている複数のＬＥＤ要素とを有しており、前記チャンバの全ての内面は、壁の前記内面と透明なカバー板との間に乾燥粉体を挟むことによって高反射性の表面として効果的に実現されている。
【発明の概要】
【発明が解決しようとする課題】
【０００３】
乾燥粉体の使用を含んでいる米国特許出願公開第２００８／００９４８３５号における取り組みは、結果として、カバー板のような、結合手段に対する必要性をもたらしている。このことは、例えば、前記カバー板又は導出結合要素における孔を必要とし得る。更に、高い反射性表面を得るために、粉体層は、２―３ｍｍであることを必要とする。この粉体が適切に分散されないというリスクも存在し、前記粉体層が、より薄くなり得る領域は、従って、光を十分に分散させない。従って、改善された発光装置に対する必要性が、存在している。
【０００４】
改善された光出力を備える発光装置を達成することが、有利である。より容易に製造される発光装置を可能にすることが、望ましい。更に、より少ない材料の消費を必要としている発光装置を可能にすることも、望ましい。本発明の目的は、これらの問題を解決し、光出力が改善されている発光装置を提供することにある。
【課題を解決するための手段】
【０００５】
更に、本発明は、前記発光装置の隣の基板に対する直視が、多くの基板の低い反射率のために暗い縞を生成し得るという見地に対処する。これらの暗い縞は、前記光源が、例えば、自動車ヘッドランプの用途において、直接的に結像される又は投射される場合、アーチファクトを生成し得る。
【０００６】
これらの懸念の１つ以上に良好に対処するために、本発明の第１の見地において、基板上に配さていれる少なくとも１つの発光体と、前記少なくとも１つの発光体を少なくとも部分的に横に包囲している反射性光学ハウジングとを有する発光装置であって、前記反射性光学ハウジングと前記少なくとも１つの発光体との間の空間は、反射性材料の懸濁液（suspension）によって少なくとも部分的に充填されている、発光装置が、提供される。例えば、厚いＬＥＤ、又は蛍光体粒子が埋め込まれている厚いセラミックタイル（この用途において、Ｌｕｍｉｒａｍｉｃ（登録商標）又はＬｕｍｉｒａｍｉｃ（登録商標）タイルと称される）を上に備える薄い薄膜フリップチップ（ＴＦＦＣ）のような、多くの発光構造において、光は、側部から発される。前記懸濁液の１つの効果は、側部のような、望まれていない方向において発される光を反射することにある。そうでない場合、前記光は、前記基板によって部分的に吸収され、適切にコリメートされない又は混合されず結果として効率損失を伴う。従って、前記懸濁液は、前記発光体から発される光を反射する。従って、前記光は、前記発光体内に反射され戻される。有利な点として、この場合、前記発光体の上面からの光出力は、増大される。パッケージレベル（レベル２とも称される）において、コリメート、色混合及び／又は光濃度に関して反射性光学ハウジングと一緒に懸濁液を使用する有利な点は、光学的に効率的であり、光線が前記基板によって少なくとも部分的に吸収される場合よりも、多くの光が反射されることにある。反射性材料の前記懸濁液は、前記発光体の側部から発されるこの光を、前記発光体内に反射して戻すのに使用されることができ、前記光は、最終的に前記上面から漏出する。更に、前記懸濁液は、前記ダイを、モジュールを取り扱う間の接触から保護する。懸濁液は、前記発光体と前記反射性光学ハウジングの壁との間の空間内に分散し易い。同じ反射性光学ハウジング内に多くの発光体が設けられている場合、前記反射性材料の懸濁液は、発光体間の「クロストーク」、即ち１つの発光体から到来して他の発光体内に入る光を防止する。アドレス指定可能な発光体が使用される場合、アドレス指定される発光体とアドレス指定されない発光体との間に如何なる種類の障壁も使用されないので、アドレス指定されていない発光体から発される光が存在し、これは望ましくない。反射性材料の懸濁液を使用することによって、このクロストークは、回避される。更に、前記反射性材料の前記懸濁液は、例えば、Ｌｕｍｉｒａｍｉｃ（登録商標）タイル及びＴＦＦＣが一緒に前記基板に固定されるのを保持するための付加的な支持のように働く、機械的な頑丈もたらす。前記反射性材料の懸濁液は、前記発光体、ダイ、Ｌｕｍｉｒａｍｉｃ（登録商標）及び／又はＴＦＦＣと基板との間の熱伝導も改善する。前記反射性材料の懸濁液は、更に、前記発光体とその電気的コンタクトとを環境から封止する。前記反射性材料の懸濁液は、更に、水分、汚染等によって生じる前記発光体の側部に沿った短絡経路を排除することができる。
【０００７】
本発明の一実施例によれば、発光装置は、反射性材料の適用に適している少なくとも１つのチャネルを更に有することができる。チャネルの有利な点は、例えば、注入によって、前記反射性材料の便利な適用を可能にすることにある。前記反射性材料は、他の仕方において設けられることもでき、この結果、前記発光体／ダイ／ＴＦＦＣ／Ｌｕｍｉｒａｍｉｃ（登録商標）の側部は、反射性材料によって包囲される。
【０００８】
本発明の一実施例によれば、発光装置は、反射性光学ハウジング内、前記基板内又は前記基板の界面と前記反射性光学ハウジングと間の交差内に形成されるチャネルを更に有していても良い。このことの有利な点は、前記チャネルが、最も適切な場所に配されることができることにある。このことは、生産技術にも依存し得る。例えば、前記装置（又は、前記装置の一部）が、層エッチングすることによって生成される場合、前記チャネルは、代替的なものとして前記基板内にエッチングされる。前記懸濁液は、上方から設けられることもできる。
【０００９】
本発明の一実施例によれば、前記発光装置は、白色反射性光学ハウジング若しくは鏡面的に反射性の光学ハウジング、又はこれらの何らかの組み合わせを有することができる。鏡面的な反射性の光学ハウジングは、光のより良好なコリメートを提供することができる一方で、白色反射性光学ハウジングが、光のより良好な混合を提供することができる。
【００１０】
本発明の一実施例によれば、発光装置は、コリメータ、コンセントレータ、色／光ミキサー又はこれらの如何なる組み合わせも構成する反射性光学ハウジングを有することができる。このことは、異なる用途に対して光のエタンデュを制御することを可能にする。
【００１１】
本発明の一実施例によれば、前記反射性材料がＴｉＯ２、他の反射性粒子又はこれらの何らかの組み合わせを含んでいる、発光装置が提供される。ＴｉＯ２濃度又は他の反射性粒子の濃度は、前記懸濁液に所望の反射率を与えるために、少なくとも２０容量％であることができる。スペクトル的に中性の特性を備える高い反射性粒子の量を備える前記懸濁液は、透明である。このことは、良好な反射特性を備える懸濁液を提供することができる。粒子のために使用されることができる他の反射性材料は、ＢａＳＯ４、Ａｌ３Ｏ３、ＭｇＯ、Ｃａ―ハロりん酸カルシウム蛍光体（halophosphate）、Ｃａ―ピロリン酸塩及び／又はＹＢＯ３を含む。
【００１２】
本発明の一実施例によれば、発光装置は、前記基板から前記発光体の高さの少なくとも５０％まで延在する反射性材料、好ましくは前記基板から前記発光体の高さの少なくとも７５％まで延在する反射性材料、更に好ましくは前記基板から前記発光体の高さの少なくとも９０％まで延在する反射性材料、最も好ましくは前記基板から前記発光体の高さの少なくとも１００％まで延在する反射性材料を有することができる。即ち前記発光装置は、少なくとも１つの前記発光体の側部表面を本質的に覆っている反射性材料であって、少なくとも１つの前記発光体側部表面を５０％覆っている、好ましくは７５％覆っている、更に好ましくは９０％覆っている、最も好ましくは１００％覆っている反射性材料を有することができる。有利な点は、当該光の、より良好な範囲、より良好な混合コリメート及び／又は反射である。前記発光体の高さは、前記基板から伸びている、前記発光体又は発光ダイオードの最も高い点までの前記発光体の部分として規定される。更に、前記発光体に類似して、Ｌｕｍｉｒａｍｉｃ（登録商標）タイルは、このようなものが所望される場合に、白色光を生成するように配されることができる。前記発光体の側部及び高さは、Ｌｕｍｉｒａｍｉｃ（登録商標）タイルを含み得る。前記反射性材料の懸濁液は、前記発光体の高さよりも高い点に到達していても良く、例えば、前記反射性光学ハウジングの壁から前記発光体に向かって傾斜していても良い。
【００１３】
本発明の一実施例によれば、発光装置は、少なくとも１つのＴＦＦＣダイを有している。ここで、有利な点は、陰極／陽極が光経路内に設けられないということにある。
【００１４】
第２の見地において、発明は、発光装置の製造のための方法であって、少なくとも１つの発光体が配される基板を設けるステップと、前記少なくとも１つの発光体を少なくとも部分的に横に囲んでいる反射性光学ハウジングを配するステップと、前記反射性光学ハウジングと前記少なくとも１つの発光体との間の空間に反射性材料の懸濁液を充填するステップとを有する方法に関する。前記結合手段が前記懸濁液の形態において設けられるので、前記反射性粒子が適所にとどまることを保証するために更なる結合手段を設ける必要はない。これは、粉体よりも制御可能であり、ほとんど作業ステップを必要としない。
【００１５】
懸濁液の１つの効果は、前記側部のような、望まれていない方向に発される光を反射することにあり、そうでない場合、前記光は、前記基板によって部分的に吸収され、適切にコリメート又は混合されず、結果として、効率の損失を伴う。このため、前記懸濁液は、前記発光体から発される光を反射する。従って、前記光は、前記発光体に反射され戻されることもできる。有利な点として、前記発光体からの光出力は、次いで、効果的に増大される。更に、前記懸濁液は、前記ダイを、モジュールを取り扱う間の接触から保護する。懸濁液は、前記発光体と前記反射性光学ハウジングの壁との間の空間内に分散し易い。同じ反射性光学ハウジング内により多い発光体が設けられている場合、反射性材料の前記懸濁液は、発光体間の「クロストーク」（即ち一方の発光体から到来して他の発光体に行く光）を防止する。アドレス指定可能な発光体が使用される場合、アドレス指定される発光体とアドレス指定されない発光体との間に如何なる種類の障壁も設けられないので、アドレス指定されていない発光体からの光が存在し、これは望ましくない。前記反射性材料の前記懸濁液を使用することにより、このクロストークは、回避される。更に、前記反射性材料の懸濁液は、例えば、Ｌｕｍｉｒａｍｉｃ（登録商標）タイル及び薄膜フリップチップ（ＴＦＦＣ）が一緒に前記基板に固定されるのを保持するための追加の支持のように働く機械的な頑丈さを生成する。前記反射性材料の懸濁液は、前記ダイ、Ｌｕｍｉｒａｍｉｃ（登録商標）及び／又はＴＦＦＣと前記基板との間の熱伝導を改善することもできる。前記反射性材料の懸濁液は、更に、前記ダイ、ＴＦＦＣ又は発光体とその電気的コンタクトとを環境から封止する。前記反射性材料の懸濁液は、更に、水分、汚染等によってもたらされる前記発光体の側部に沿って生じ得る短絡経路を取り除くことができる。
【００１６】
本発明の一実施例によれば、当該方法は、更に、前記反射性材料の硬化を有することができる。前記懸濁液を硬化させることによって、更なる層又は追加の材料が、前記反射性材料を適所に保持するのに必要とされない。このことは、より少ない作業ステップを提供し、前記ダイの周りにおける懸濁液のぴったり合う適用（snug  fit）を提供するので、ほこり、ちり、汚染又は他の望まれていない材料が当該反射性に影響を与えることは、防止される。
【００１７】
本発明の一実施例によれば、前記反射性光学ハウジングが、層エッチングによって配される、（例えば、拡散白色プラスチックによる）射出成形によって若しくは反射コーティングを含む基板における適当な形状をエッチングした後に、前記発光体又はダイを前記基板上に配することによって、又は金属の一片を、形状に曲げて、成形することによって（前記金属又は前記金属上のコーティングは、多かれ少なかれ鏡面的に反射すること）、又は他の何らかの既知の技術によって製造されることができる。
【００１８】
本発明の一実施例によれば、当該方法は、前記反射性光学ハウジングのチャネルを通して前記反射性材料を注入するステップを更に有することができる。このことは、前記反射性材料を、前記発光体の前記側部周辺において、正確にこれが必要とされる場所に設けることを可能にし、従って、最終的には、如何なる材料も、発光体の上部に設けられて望まれていない方向における光を遮断する又は反射することはない。
【００１９】
本発明の一実施例によれば、当該方法は、毛管力によって前記反射性光学ハウジングと前記少なくとも１つの発光体との間の空間内に前記反射性材料を分散させるステップを有することができる。従って、このことは、前記懸濁液内の空気の孔を回避する前記懸濁液の最適な分散を保証することができ、従って、前記光の良好な反射を提供する。
【００２０】
前記発光体は、発光ダイオード（ＬＥＤ）、ＴＦＦＣダイ、ダイ、フラッシュＬＥＤ又は他の何らかの発光装置の形態におけるものであり得る。
【００２１】
反射性光学ハウジングは、任意で、除外されることができる。前記懸濁液を適所に保持すると共に、流動性を保持するために、前記懸濁液の動きを区切る一時的な架設（temporary  installment）が設けられることができる。
【００２２】
独立請求項における「懸濁液によって少なくとも部分的に充填される空間」又は「充填する」によって意味されているのは、個々の前記発光体と前記反射性光学ハウジングの壁との間の場所又は空間の部分が、懸濁液によって、充填される又は部分的に充填され得るということである。重大な要因は、前記ＬＥＤ又は発光体のより多くの側部が覆われているほど、更に効率的な反射が得られることにある。従って、前記ＬＥＤ又は発光体の側部が完全に覆われている場合、最良の結果が得られる。本発明の実施例を使用する場合、幾つかの発光体のダイが、前記反射性光学ハウジングの円周の範囲内に設けられることができる。例えば、自動車ヘッドランプモジュールの場合である。ダイは、例えば、約１ｍｍ幅及び０．１６ｍｍの高さである。ヘッドランプモジュール内の４つの発光体―ダイの線形配列が、使用されることができ、ビーム形成光学及びヒートシンクと一緒に使用されることができ、前記モジュールは、約５０ｍｍ幅及び７５―１００ｍｍ長さであり得る。公式規則に従う完全なロービームを形成するために、典型的には、これらのユニットのうちの２―３個は、使用されることができる。線形、円形又は他の形状の形態を形成する、より多い又は少ない発光体のダイを有する他の形態も、使用されることができる。
【００２３】
本発明は、添付請求項において列挙されているフィーチャの全てのあり得る組み合わせに関連することに留意されたい。即ち、前記第１の見地において上述されたフィーチャは、前記第２の見地において利用されることもでき、前記第２の見地において上述されたフィーチャは、前記第１の見地において利用されることもできる。
【００２４】
本発明のこれら及び他の見地は、以下に記載される実施例を参照して、明らかになり、説明されるであろう。一般に、添付請求項において使用されている全ての語は、本願明細書において規定されていない限り、当該技術分野における通常の意味によって解釈されるべきである。単数形の要素、装置、構成要素、手段及びステップ等に対する全ての参照は、そうでないと明確に述べられていない限り、前記要素、装置、構成要素、手段及びステップ等の少なくとも１つの例を参照していると開放的に解釈されるべきである。本願明細書において開示される如何なる方法のステップも、明確に述べられていない限り、開示されている厳密な順序において実行される必要はない。
【００２５】
本発明のこの及び他の見地は、ここで、本発明の現在好適な実施例を示していている添付図面を参照して、詳細に記載される。
【００２６】
符号は、全体にわたって適用されており、同じ符号は、同じ要素を示している。
【図面の簡単な説明】
【００２７】
【図１】ダイ、又はヒートシンク上の基板上のＬＥＤ又はＬｕｍｉｒａｍｉｃ（登録商標）タイルを備えるダイの模式的な斜視図である。
【図２】ヒートシンク上の基板上のコリメータの模式的な斜視図である。
【図３】ヒートシンク上の基板上のコリメータの第１の実施例の模式的な斜視図である。
【図４】本発明の一実施例によるヒートシンク上の基板上の反射集光器／色及び／又は光混合器の模式的な斜視図である。
【図５】本発明の一実施例によるヒートシンク上の基板上の反射集光器／色及び／又は光混合器の第２の実施例の模式的な斜視図である。
【図６】光線の例を示しているヒートシンク上の基板上のコリメータの実施例の模式的な斜視図である。
【図７】光線の例を示しているヒートシンク上の基板上の反射集光器／色及び／又は光混合器の模式的な斜視図である。
【図８】光線の例を示している本発明の一実施例によるヒートシンク上の基板上のコリメータの第３の実施例の模式的な斜視図である。
【図９】光線の例を示している本発明の一実施例によるヒートシンク上の基板上の反射集光器／色及び／又は光混合器の第４の実施例の模式的な斜視図である。
【図１０】第５の実施例の模式的な斜視図である。
【発明を実施するための形態】
【００２８】
図１−９は、本発明による発光装置の様々な実施例を示している。
【００２９】
図１−３は、本発明の一実施例によって懸濁液を設けるステップを表している。
【００３０】
図１、４、５は、本発明の他の実施例によって懸濁液を設けるステップを表している。
【００３１】
図６−９は、様々な実施例における光線の例を示している。
【００３２】
図１０は、代替的な実施例を示している。
【００３３】
図１には、ヒートシンク１０７上の基板１０２上のダイ又は発光体１０１を備える発光装置１００の模式的な斜視図が示されている。これは、本発明の幾つかの実施例の製造の３つのステップのうちの第１のステップである。ここで、ヒートシンク上に配されている基板１０２上に配されている発光体１０１が、示されている。符号１１０は、発光体の高さを示しており、前記発光体の最も高い点からのものであり得る。後続するステップにおいて、この配置は、この特定の目的に適応化されている。これは、一般にレベル１と称され、接触パターン等を含んでいる基板上のＬＥＤダイであり得る。後続する図面は、レベル２を参照している。レベル２は、アセンブリの周りのパッケージ（用途における使用に適したものにする）を有することができ、外界への電気的、機械的、熱的及び光学的インターフェースを含んでいる保護ハウジングを有することができる。
【００３４】
図２において、ヒートシンク上の基板上の反射集光器／色及び／又は光混合器の模式的な斜視図が、示されている。これは、第２のステップであり、反射性材料／懸濁液が設けられる図３の前のステップである。この実施例の発光装置１００は、ヒートシンク１０７上に配されている基板１０２上に配されている発光体１０１を有している。基板１０２に接続されて、反射性光学ハウジング（本記載においては、集光器／色又は光混合器又はコリメータとして参照される）１０８が、配されている。コリメータ１０８は、白色反射性のものであっても良く、又はより高い反射性能を備える材料（例えば、鏡、クロム、銀、アルミニウム又はレンズ）でできていても良い。更に、発光装置１００は、チャネル１０５又はより多くのチャネルを有している。１つ以上の前記チャネルは、反射性材料の懸濁液の供給に適切なものでなければならない。空間１０６が示されており、コリメータ１０８の壁、ＬＥＤ１０１の壁、基板１０２の底部、及びＬＥＤ１０１の上部まで前記コリメータの壁の間に伸びている点線によって囲まれている。空間１０６は、更に、本明細書に示されている空間の一部であり得る。例えば、前記空間が部分的に充填されている場合、即ちそうでない場合に露出される基板１０２の底部は、覆われているが、前記懸濁液は、前記ＬＥＤの上部までは伸びていない。
【００３５】
図３において、ヒートシンク１０７上の基板１０２上のコリメータ１０８の第１実施例の模式的な斜視図が、示されている。このことは、前記第３のステップである。ここで、前記懸濁液／反射性材料１０４が、設けられる。
【００３６】
図４において、ヒートシンク上の基板上の反射集光器／色及び／又は光混合器の模式的な斜視図が、示されている。これは、前記反射性材料／懸濁液が設けられている図５の前の第２のステップである。この実施例の発光装置１００は、ヒートシンク上１０７に配されている基板１０２上に配されている発光体１０１を有している。基板１０２に接続されて、反射性光学ハウジング（この例においては、集光器／色及び／又は光混合器又はコリメータとして参照される）１０３が、配される。前記集光器／色及び／又は光混合器１０３は、白色反射性であっても良く、又は、鏡、クロミウム、銀、アルミニウム又はレンズのような、高い反射性能を有する材料でできていても良い。更に、発光装置１００は、チャネル１０５又はより多くのチャネルを有している。１つ以上の前記チャネルは、反射性材料の懸濁液の供給に適切なものでなければならない。空間１０６が、示されており、集光器／色及び／又は光混合器１０３の壁、ＬＥＤ１０１の壁、基板１０２の底部、及び集光器／色及び／又は光混合器１０３の壁間にＬＥＤの上部まで伸びている点線によって、囲まれている。空間１０６は、また、ここで説明されている前記空間の一部であり得る。例えば、前記空間が部分的に充填されている場合、即ち、そうでない場合に露出される基板１０２の底部は、覆われているが、前記懸濁液は、前記ＬＥＤの上部まで伸びていない。
【００３７】
図５において、ヒートシンク１０７上の基板１０２上の集光器／色及び／又は光混合器１０３の第１実施例の模式的な斜視図が、示されている。これは、前記第２実施例の前記第３のステップである。ここで、前記懸濁液／反射性材料１０４が、設けられている。
【００３８】
図３及び５の両方に関して、懸濁液／反射性材料１０４は、チャネル１０５を通して供給され得る。適切な材料によって、懸濁液／反射性材料１０４は、前記光線が、通常、前記装置を出る上方から、設けられることもできる。
【００３９】
図６は、図２に示されているものを示しているが、ここでは、光線１０９の例が付加されている。これが示しているのは、ダイ１０１の側部から出ている光が、基板１０２によって部分的に吸収され、ここから光が上方に進行する「有効」表面が幅Ｗを有するようにすることである。
【００４０】
図７は、図４に示されているものを示しているが、ここでは、光線の例が付加されている。ここで幅Ｗ’’は、図６上の幅と比較して減少されている。更に、同じ問題が、図６において示されている。前記ダイの側部から出ている光線１０９は、前記基板によって吸収され、従って、より少ない光線１０９が、前記反射性光学ハウジングを出るので、輝度又はブライトネスを減少させる。前記集光器は前記光を集中させるが、一部の光線は、前記点線で示されているように反射性光学ハウジング内に留まり得る。
【００４１】
図８は、図３に示されているものを示しているが、ここでは、光線１０９の例が付加されている。ここで、光線１０９は、懸濁液１０４内で反射されており、従って、より多くの光が、コリメータ１０８上部を通って出射し、高い輝度をもたらす。
【００４２】
図９は、図５に示されているものを示しているが、ここでは、光線１０９の例が付加されている。ここで、前記懸濁液は、結果として、前記ダイの側部を出る光線が反射され、より多くの光が前記集光器／色及び／又は光混合器１０３の上部から出射することをもたらす。
【００４３】
図１０は、懸濁液であり得る反射性材料１０４のみが発光体１０１周辺に位置されている、実施例を示している。この実施例は、反射性光学ハウジング、コリメータ、色／光混合器又は集光器を含んでいないので、前記反射性材料を含むための一時的な手段（図示略）が必要とされ得る。２つ以上の発光体１０１が、設けられ得る。
【００４４】
「懸濁液」又は「反射性材料の懸濁液」又は「反射性材料」を参照している場合、参照されているのは、同一の材料である。必ずしも懸濁液を構成しない他の材料も、使用されることができる。重要なのは、光反射性能である。
【００４５】
前記反射性材料又は粒子は、例えば、シリコーン又は他の透明な若しくは本質的に透明な材料内に懸濁されることができる。
【００４６】
チャネルを参照している場合、意味されているのは、キャナル又はガイドであり、この入口は、前記コリメータ、集光器、色若しくは光混合器又は基板の外側に配されており、この出口は、前記反射性光学ハウジング（コリメータ又は集光器又は色若しくは光混合器であり得る）の壁と前記ＬＥＤとの間の基板内、又は前記懸濁液が前記光の最適な反射を保証している前記ＬＥＤの周辺に広がることができるレベルにおける前記反射性光学ハウジング内に位置されている。前記チャネルは、前記懸濁液又は材料が自身を分散させることができる場合、更に、反射性光学ハウジングの壁上に配されることができ、反射性の所望の効果を提供することができる。前記チャネルの入口及び／又は出口は、様々な形状（例えば、円形、正方形、三角形、長方形又は他の何らかの形状）を有することができる。前記発光装置は、２つ以上のチャネルを有することができる。このことは、全ての所望の領域への前記懸濁液の更に便利な分配を提供することができる。
【００４７】
添付図面における前記反射性光学ハウジングが前記基板に対して或る角度を有している場合であっても、この角度は、前記光が分散されるべきか又は集中されるべきかに依存して、１度と１７９度との間において、より好ましくは、３０度と１５０度との間において変化し得る。前記壁は、開いている若しくは部分的に閉じられているキャビティ又はこれらの組み合わせを形成することができ、例えば、２つの対向する壁は、互いに向かって傾斜されることができるのに対し、他の２つの壁は、広がっていても良い。
【００４８】
Ｌｕｍｉｒａｍｉｃ（登録商標）を参照する場合、意味されているのは、Ｌｕｍｉｒａｍｉｃ（登録商標）蛍光体技術によって作られた材料であって、所与の温度における微細な箱（fine  bin）の数を７５パーセント以上減らすことができる。
【００４９】
この当業者は、本発明が、決して上述の好ましい実施例に限定されるものではないと理解する。逆に、多くの変形及び変化が、添付請求項の範囲内で可能である。例えば、１よりも多くの（例えば、２つ以上の）発光体が、１つの同じコリメート、集光又は色混合構造内に配されることができる。如何なる実施例からの如何なるフィーチャも、他の実施例において使用されることができることも理解されたい。
【図１】
0006023303.tif 000002
【図２】
0006023303.tif 000003
【図３】
0006023303.tif 000004
【図４】
0006023303.tif 000005
【図５】
0006023303.tif 000006
【図６】
0006023303.tif 000007
【図７】
0006023303.tif 000008
【図８】
0006023303.tif 000009
【図９】
0006023303.tif 000010
【図１０】
0006023303.tif 000011